(57)【要約】【課題】吸音材の貼付けを不要にでき、しかも、リレー作動音の十分な消音効果が得られる電気接続箱を提供する。【解決手段】ボックス本体１１に複数のリレー１２が取り付けられるとともに、複数のリレー１２を覆うカバー１３が装着されている電気接続箱であって、複数のリレー１２のいずれかのケース１２ａを覆う凹状内壁面部２１ａおよびそこから突出する複数の内突部２１ｂを有し、いずれかのリレー１２のケース１２ａを複数の内突部２１ｂによって外側から挟持する制振部材２１と、カバー１３に支持され、制振部材２１の周囲にそれぞれ音響反射面２２ｅを形成する複数の音響反射部２２ｂを有する防音部材２２とを備える。【選択図】図４
2017200282.tif 000002
【特許請求の範囲】
【請求項１】
ボックス本体に複数のリレーが取り付けられるとともに、前記複数のリレーを覆うカバーが装着されている電気接続箱であって、
前記複数のリレーのいずれかを覆う凹状内壁面部および該凹状内壁面部から突出する複数の内突部を有し、前記いずれかのリレーのケースを前記複数の内突部によって外側から挟持する制振部材と、
前記カバーに支持され、前記制振部材の周囲に複数の音響反射面部を有する防音部材と、を備えたことを特徴とする電気接続箱。
【請求項２】
前記複数の内突部が、前記いずれかのリレーのケースを挟んで対向する前記複数の内突リブによって構成されていることを特徴とする請求項１に記載の電気接続箱。
【請求項３】
前記防音部材が、前記カバーに一体に支持されていることを特徴とする請求項１または２に記載の電気接続箱。
【請求項４】
前記制振部材と前記防音部材の間であって前記ボックス本体と前記カバーとの間に、環状の吸音材が保持されていることを特徴とする請求項１ないし３のいずれか１項に記載の電気接続箱。
【発明の詳細な説明】
【技術分野】
【０００１】
本発明は、電気接続箱に関し、特に機械式リレーの作動音を抑える構造を有する電気接続箱に関する。
【背景技術】
【０００２】
自動車等の車両には、電源の分配や回路の分岐接続を行うジャンクションボックスやリレーボックスと呼ばれる電気接続箱が搭載されている。この電気接続箱には、バスバー等の内部回路部材が設けられており、一般に、そのバッテリー接続側にヒューズやヒュージブルリンクが、負荷側にリレーが設けられている。
【０００３】
このような電気接続箱は、通常、図６に示すように、バスバー等が埋め込まれたボックス本体１の上面側に複数のリレー２が装着される一方、そのボックス本体１の下面側に外部配線の接続を可能にする不図示のコネクタが設けられており、ボックス本体１に装着されるカバー３によって内部への異物や水の侵入を抑えるようになっている（例えば、特許文献１参照）。
【０００４】
また、電気接続箱に実装されるリレーは、一般に機械式で、比較的大きな作動音（オン動作に伴う音およびオフ動作に伴う音）を生じ騒音発生源になり得るため、作動音を抑える必要がある。
【０００５】
そこで、従来、例えば図７に示すように、ボックス本体１の上面側のカバー３の外面側に発泡ウレタン製の吸音材４を接着し、あるいは、図８に示すように、カバー３の内面側に発泡ウレタン製の吸音材４を接着して、リレー２の作動音の吸音を図るものが知られている（例えば、特許文献２参照）。
【先行技術文献】
【特許文献】
【０００６】
【特許文献１】特開平０７−２７２６０７号公報
【特許文献２】特開２００５−３０４１６２号公報
【発明の概要】
【発明が解決しようとする課題】
【０００７】
しかしながら、上記吸音材による作動音の低減を図った従来の電気接続箱にあっても、カバーに吸音材を接着剤により貼り付けていたため、接着剤や吸音材が劣化した場合に、車両の振動等によって吸音材がカバーから剥がれ落ちたり、吸音材から摩耗粉が落ちたりする可能性があった。
【０００８】
また、音源であるリレー２から出る作動音自体、例えばリレー２のケース等による伝播音を十分に抑える対策とはなっておらず、十分な消音ができていなかった。
【０００９】
本発明は、このような従来の未解決の課題を解決すべくなされたものであり、吸音材の貼付けを不要にでき、しかも、リレー作動音の十分な消音効果が得られる電気接続箱を提供することを目的とする。
【課題を解決するための手段】
【００１０】
本発明に係る電気接続箱は、上記目的達成のため、ボックス本体に複数のリレーが取り付けられるとともに、前記複数のリレーを覆うカバーが装着されている電気接続箱であって、前記複数のリレーのいずれかを覆う凹状内壁面部および該凹状内壁面部から突出する複数の内突部を有し、前記いずれかのリレーのケースを前記複数の内突部によって外側から挟持する制振部材と、前記カバーに支持され、前記制振部材の周囲に複数の音響反射面部を有する防音部材と、を備えたものである。
【００１１】
この構成により、本発明では、複数のリレーのうち少なくとも１つのリレーに制振部材が装着され、そのリレーの切替え時の作動音によるケースの振動が制振部材により抑制されることで、リレーから外部への作動音の伝播自体が抑制される。しかも、制振部材の外方に漏れた作動音は複数の音響反射面部を有する防音部材によって、反射回数が増やされたり音響伝播距離が長められたりすることで、あるいはさらに、ヘルムホルツ共鳴器が構成されることで、リレー作動音が有効に減衰され、電気接続箱の外部に出るリレー作動音が抑えられることになる。
【００１２】
本発明の電気接続箱においては、前記複数の内突部が、前記いずれかのリレーのケースを挟んで対向する前記複数の内突リブによって構成されてもよい。また、前記防音部材が、前記カバーに一体に支持されている構成であってもよい。さらに、前記制振部材と前記防音部材の間であって前記ボックス本体と前記カバーとの間に、環状の吸音材が保持されている構成とすることもできる。
【００１３】
なお、リレーのケースが四角形の平面視形状を有する場合、制振部材は、ケースの平面視形状における直交する２方向について、ケースを外側から挟持する複数組の内突部を有するとよい。また、ケースの平面視形状に応じて複数組の内突部のケースに対する接触圧を相違させてもよい。
【発明の効果】
【００１４】
本発明によれば、吸音材の貼付けを不要にでき、しかも、リレー作動音の十分な消音効果が得られる電気接続箱を提供することができる。
【図面の簡単な説明】
【００１５】
【図１】本発明の一実施の形態に係る電気接続箱をそのカバーおよび制振部材を取り外した状態で示す要部斜視図である。
【図２】本発明の一実施の形態に係る電気接続箱におけるリレーに制振部材を外装する段階の説明図である。
【図３】本発明の一実施の形態に係る電気接続箱における複数の制振部材とそれを取り囲む複数の音響反射部を有する防音部材とを示す斜視図である。
【図４】本発明の一実施の形態に係る電気接続箱における複数の制振部材を防音部材に一体に支持させた状態を示す内面図である。
【図５】本発明の他の実施の形態に係る電気接続箱における複数の制振部材を防音部材に一体に支持させ、かつそれらの間に環状の吸音部材を嵌め込んだ形態を示すその要部内面図である。
【図６】従来の電気接続箱をそのカバーを取り外した状態で示す要部斜視図である。
【図７】従来の課題を説明するための第１の従来例の電気接続箱の要部であるそのカバーの外面側に吸音材を貼り付けた態様を示す斜視図である。
【図８】従来の課題を説明するための第２の従来例の電気接続箱の要部であるそのカバーの内面側に吸音材を貼り付けた態様を示す斜視図である。
【発明を実施するための形態】
【００１６】
以下、本発明を実施するための形態について図面を参照して説明する。
【００１７】
（一実施の形態）
図１ないし図４は、本発明の一実施の形態に係る電気接続箱を示している。
【００１８】
本実施の形態の電気接続箱は、自動車用に搭載される複数の電装品とバッテリー等の電源との間に介装されるもので、例えばヘッドランプやワイパー等の負荷に給配電するリレーボックスとして構成されている。
【００１９】
まず、その構成について説明する。
【００２０】
図１に一部分解して示すように、本実施形態に係る電気接続箱１０は、プラスチック（合成樹脂）製のボックス本体１１に、複数のリレー１２が取り付けられるとともに、これら複数のリレー１２を覆うプラスチック製のカバー１３が装着されているものである。また、ボックス本体１１には、複数のヒューズ１４も取り付けられている。
【００２１】
詳細を図示しないが、ボックス本体１１には、不図示のバスバー等の内部回路部材が埋め込まれており、そのバスバー等の内部回路部材は、電源に接続される入力端子部と、複数のリレー１２の端子１２ｂ（図２参照）を挿入可能で、端子１２ｂに所定の接触圧で接触することができる複数のリレー接続端子部とを有している。
【００２２】
また、ボックス本体１１のリレーマウント基板部１１ａには、前述の複数のリレー接続端子部の上方に位置するように、不図示の複数のソケットが設けられ、それらソケットに複数のリレー１２の端子１２ｂが挿し込まれている。
【００２３】
複数のリレー１２は、例えばボックス本体１１内のバスバーおよび複数のヒューズ１４を介して電源側に接続される一方で、対応するヘッドランプやワイパー等の負荷に接続されており、複数のリレー１２のコイル電流の供給状態に応じたＯＮ／ＯＦＦ動作によって、それぞれの対応する負荷への給電が制御されるようになっている。
【００２４】
カバー１３は、その天板部１３ａの周囲から可能に延びる周壁部１３ｃの下部に、ボックス本体１１の複数のロック爪部１１ｂ（図１中には１つのみ図示する）にスナップロック可能な係止片１３ｂを有している。
【００２５】
また、カバー１３は、周壁部１３ｃの下端側の開口内周縁部が段付き形状をなしており、ボックス本体１１の上端開口縁部１１ｃに対して上下方向の突当ておよび開口径方向の位置決めが可能な嵌合ができるようになっている。
【００２６】
したがって、カバー１３は、ボックス本体１１に対して上下および開口径方向に位置決めされた状態で、その位置決め状態を保持できるようになっている。
【００２７】
一方、複数のリレー１２とカバー１３の間には、少なくとも１つのリレー１２の露出面を覆いつつそのリレー１２に嵌合するカバー状の制振部材２１が設けられており、本実施形態では、複数のうち全てのリレー１２のケース１２ａの露出面を覆いつつ複数のリレー１２に嵌合するように複数の制振部材２１が設けられている。なお、図１中では２つリレー１２に対応する２つの制振部材２１のみを図示し、他の制振部材２１の図示を省略している。
【００２８】
各制振部材２１は、例えばカバー１３と同じ素材、カバー１３より低剛性の素材、ゴム弾性を有する素材、吸音材として使用される素材のいずれか、又はそれらの素材の組合せによって有底筒に構成されている。ここにいう吸音材として使用される素材とは、例えば発泡ウレタン、あるいは、合成樹脂の繊維をホットプレス加工によりフェルト状（不織布状）の壁面を有する立体形状の繊維集合体に成形したものである。
【００２９】
図３、図４に示すように、複数の制振部材２１は、それぞれの凹状内壁面部２１ａと、それら凹状内壁面部２１ａから内方に突出するそれぞれリブ状の複数の内突部２１ｂと、それぞれ対応する凹状内壁面部２１ａと略平行をなす外壁面部２１ｃとを有している。
【００３０】
具体的には、各リレー１２のケース１２ａが略四角形の平面視形状を有するので、それに対応する制振部材２１は、ケース１２ａの平面視形状における直交２方向で、ケース１２ａを外側から挟持する複数対（複数組）の内突部２１ｂを有している。そして、各制振部材２１は、対応するリレー１２のプラスチック製のケース１２ａをそれぞれ複数対の内突部２１ｂによって外側から直交２方向に所定の接触圧力で挟圧保持しつつ、その対応するリレー１２に外装されている。
【００３１】
制振部材２１は、ケース１２ａの平面視形状（壁面剛性）に応じて、複数対の内突部２１ｂのケース１２ａに対する接触圧や接触面積を相違させてもよい。
【００３２】
また、リレー１２の周囲および上方を取り囲む各制振部材２１の凹状内壁面部２１ａは、対応するリレー１２のケース１２ａの外周面に対して略平行に離間しており、各制振部材２１の複数の内突部２１ｂは、互いに等角度間隔に離間しつつリレー１２のケース１２ａに周壁部分に密着することで、リレー１２の周囲の空間を四隅側の複数の小空間２１ｄに分断している。
【００３３】
なお、これら複数の制振部材２１は、リレー１２を複数個収容できる単体のブロック状に一体化され、その下面側に複数の内突部２１ｂを有するものであってもよい。また、各制振部材２１における複数の内突部２１ｂがリレー１２のケース１２ａに天井壁部分に密着する部分を有し、複数の小空間２１ｄがケース１２ａの天井側に及ぶ隙間状に形成されてもよい。
【００３４】
複数のリレー１２とカバー１３の間には、複数のリレー１２に外装された複数の（または一体化された）制振部材２１の周囲を取り囲む防音部材２２が設けられている。
【００３５】
この防音部材２２は、カバー１３に一体的に支持された天板部２２ａと、この天板部２２ａの下面外周部分から複数の制振部材２１の周囲に所定間隔に並列するように突設された複数の音響反射部２２ｂとを有している。
【００３６】
複数の音響反射部２２ｂは、天板部２２ａの下面側に突出するとともに、カバー１３の内周壁面から内方側にも突出しており、カバー１３の内周壁面近傍での音響反射面（および反射回数）を増加させる所定横断面のリブ形状をなしている。
【００３７】
図３および図４中では、音響反射部２２ｂは矩形の横断面形状で例示しているが、突出端側を頂部とする三角形、台形その他の多角形の断面あるいは略半円形等の断面形状であってもよい。また、複数の音響反射部２２ｂは、その配設位置によって相互に形状が相違してもよい。
【００３８】
防音部材２２は、例えばカバー１３と一体に射出成形等により形成されているが、別々に成形された後に、一体に組み合されたものでもよい。
【００３９】
また、各制振部材２１は、リレー１２のケース１２ａと共にヘルムホルツ共鳴器を構成するように形成されてもよく、複数の制振部材２１および防音部材２２は、ヘルムホルツ共鳴器を構成するように形成されてもよい。
【００４０】
次に、作用を説明する。
【００４１】
上述のように構成された本実施の形態の電気接続箱１０においては、複数のリレー１２に複数の凹状内壁面部２１ａおよび複数の内突部２１ｂを有する複数または１つの制振部材２１が装着され、そのリレー１２の切替え時の作動音によるケース１２ａの振動が、制振部材２１の複数の内突部２１ｂに挟圧保持されていることで抑えられる。したがって、リレー１２の作動音が生じるときにケース１２ａの壁面の振動が制振部材２１によって抑制されることで、外方側に伝播する作動音が低減され、しかも、音響反射回数を増加させ易い反射面配置およびリブ配置を採る制振部材２１から外部への作動音の伝播が有効に抑制される。その結果、従来のようにカバー１３に吸音材を貼り付ける必要が無い。
【００４２】
さらに、本実施形態では、制振部材２１の外方に作動音が漏れても、その作動音が複数の音響反射面２２ｅ（図４中に二点鎖線で囲んだ部分の部分拡大図参照）を有する防音部材２２によって、カバー１３の内方での反射回数を増やされたり音響伝播距離を増やされたりすることで、有効に減衰され、あるいは更にヘルムホルツ共鳴器が構成されることで、電気接続箱１０の内部でリレー作動音が十分に消音され、電気接続箱１０の外部に出る作動音が抑えられることになる。
【００４３】
また、電気接続箱１０は、防音部材２２が、カバー１３に一体に支持されているので、これら双方の取扱いや、成形作業が容易となる。
【００４４】
さらに、複数の内突部２１ｂが、対応するリレー１２のケース１２ａを挟んで対向する複数対の内突リブによって構成されているので、カバー１３の内壁面剛性を高めつつ音響反射面を増加させることができ、複数のリレー１２の作動音が電気接続箱１０の外部に騒音として出るのを有効に抑制できる。
【００４５】
このように、本実施形態においては、吸音材の貼付けを不要にでき、しかも、リレー作動音の十分な消音効果が得られる電気接続箱１０を提供することができる。
【００４６】
（他の実施の形態）
図５は、本発明の他の実施の形態に係る電気接続箱を示している。
【００４７】
なお、本実施形態に係る電気接続箱は、前述の一実施の形態に係る電気接続箱１０に部品を追加したものであるので、他の実施の形態に関する以下の説明では、一実施の形態と共通する構成については図１〜図４に示した対応する構成要素の符号を用いて、以下、一実施の形態と相違する点について説明する。
【００４８】
図５に部分図で示すように、本実施の形態に係る電気接続箱１０には、制振部材２１と防音部材２２の間であってボックス本体１１とカバー１３との間に、略四角形の環状の吸音材３１が、設けられている。
【００４９】
この吸音材３１は、例えば発泡ウレタンで形成されている。そして、環状の吸音材３１は、複数の制振部材２１の外壁面部２１ｃと防音部材２２の複数の音響反射部２２ｂとの間に径方向の所定の接触圧を生じるように嵌め込まれ、かつ、ボックス本体１１およびカバー１３により上下方向にも挟まれた状態で、電気接続箱１０に対し定位置に保持されている。
【００５０】
本実施形態においても、リレー１２の作動音が生じるときにケース１２ａの壁面の振動が制振部材２１によって抑制されることで、ケース１２ａから外方側に伝播さえる作動音が低減され、さらに、音響反射回数を増加させ易い反射面配置およびリブ配置を採る制振部材２１から外部への作動音の伝播が、有効に抑制される。
【００５１】
しかも、制振部材２１の外方に作動音が漏れても、その作動音が複数の音響反射面２２ｅを有する防音部材２２によって、カバー１３の内方での反射回数を増やされたり音響伝播距離を増やされたりすることで、有効に減衰されて、電気接続箱１０の内部でリレー作動音が十分に消音される。
【００５２】
その結果、本実施の形態でも、一実施の形態と同様な作用効果を得ることができる。
【００５３】
なお、上述の一実施の形態および他の実施の形態では、複数または１つの制振部材２１がリレーと同数の凹状内壁面部２１ａを有するものとして説明したが、例えば図２に示すように、隣り合う２つのリレー１２に対して、２つの制振部材２１が一体化されるとともに、２つのリレー１２の中間で同図中の左右方向に延びるリブ状の内突部２１ｂが他の複数の内突部２１ｂと同形状に、かつ、略長方形の外壁面部２１ｃとは異なる壁厚に形成されることで、２つのリレー１２に対応する１つの凹状内壁面部２１ａが形成されてもよい。
【００５４】
また、上述の一実施の形態および他の実施の形態では、リレー１２を間に挟んで各一対のリブ状の内突部２１ｂを同一軸線上で対向させていたが、必ずしも同一軸線上に配置されなくともよいし、リブ状の内突部２１ｂに代えて、多点接触する複数の角錐台形状や円錐台形状の内突起を設けてもよい。
【００５５】
さらに、リブ状の内突部２１ｂのリレー１２との接触面に複数の円形の凹部や溝部等が形成されていてもよい。制振部材２１の複数の内突部２１ｂの形状や数、それに対応するリレー１２と制振部材２１の間の複数の小空間２１ｄの形状や数が任意であることはいうまでもない。
【００５６】
以上説明したように、本発明は、吸音材の貼付けを不要にしつつ、リレー作動音の十分な消音効果が得られる電気接続箱を提供することができるものであり、機械式リレーの作動音を抑える構造を有する電気接続箱全般に有用である。
【符号の説明】
【００５７】
１０  電気接続箱
１１  ボックス本体
１１ａ  リレーマウント基板部
１１ｂ  ロック爪部
１１ｃ  上端開口縁部
１２  リレー
１２ａ  ケース
１２ｂ  端子
１３  カバー
１３ａ  天板部
１３ｃ  周壁部
１４  ヒューズ
２１  制振部材
２１ａ  凹状内壁面部
２１ｂ  内突部（内突リブ、リブ状の内突部））
２１ｃ  外壁面部
２１ｄ  小空間
２２  防音部材
２２ａ  天板部
２２ｂ  音響反射部
２２ｅ  音響反射面（音響反射面部）
３１  吸音材
【図１】
2017200282.tif 000003
【図２】
2017200282.tif 000004
【図３】
2017200282.tif 000005
【図４】
2017200282.tif 000006
【図５】
2017200282.tif 000007
【図６】
2017200282.tif 000008
【図７】
2017200282.tif 000009
【図８】
2017200282.tif 000010